(57)【要約】【課題】子供にとっても容易に溶着性ビーズ玩具の集合体を着脱することができる溶着性ビーズ玩具用装飾玩具と、この溶着性ビーズ玩具用装飾玩具を備える溶着性ビーズ玩具セットを提供する。【解決手段】溶着性ビーズ玩具用装飾玩具１Ａは、幅寸法を溶着性ビーズ玩具１００の最大寸法Ｄと合わせて突起状、溝状又は孔状に形成されて、溶着性ビーズ玩具１００の集合体と係合可能に形成されるビーズ係合部１０，２０，３０を有する。【選択図】    図１
2019187775.tif 000002
【特許請求の範囲】
【請求項１】
幅寸法を溶着性ビーズ玩具の最大寸法と合わせて突起状、溝状又は孔状に形成されて、前記溶着性ビーズ玩具の集合体と係合可能に形成されるビーズ係合部を有することを特徴とする溶着性ビーズ玩具用装飾玩具。
【請求項２】
前記ビーズ係合部は、高さ寸法を前記溶着性ビーズ玩具の最大寸法と合わせた円柱の前記突起状に形成されることを特徴とする請求項１に記載の溶着性ビーズ玩具用装飾玩具。
【請求項３】
前記ビーズ係合部は、対向して配置される２枚の板状体により前記溝状に形成されて、２枚の前記板状体は、それぞれ高さ寸法が異なるように形成されることを特徴とする請求項１に記載の溶着性ビーズ玩具用装飾玩具。
【請求項４】
前記ビーズ係合部は、長矩形の前記孔状に形成されることを特徴とする請求項１に記載の溶着性ビーズ玩具用装飾玩具。
【請求項５】
複数の前記溶着性ビーズ玩具と、
請求項１乃至請求項４の何れか記載の溶着性ビーズ玩具用装飾玩具と、
を備えることを特徴とする溶着性ビーズ玩具セット。
【発明の詳細な説明】
【技術分野】
【０００１】
本発明は、溶着性ビーズ玩具用装飾玩具及び溶着性ビーズ玩具セットに関する。
【背景技術】
【０００２】
従来から、水溶性樹脂で形成された粒状のビーズを用いた溶着性ビーズ玩具が提供されている。特許文献１には、溶着性ビーズ玩具が載置されるよう複数の凹部が形成される保持トレイと、ベーストレイと、保持トレイとベーストレイとの間に差し込むシートを備えるビーズ玩具セットが開示されている。ここで、このシートには、図柄が記載されており、使用者はこの図柄に合わせて溶着性ビーズ玩具を保持トレイに配置することで、種々の形状の溶着性ビーズ玩具の集合体を作成することができる。
【０００３】
この溶着性ビーズ玩具は、例えば、ポリビニルアルコールを樹脂に配合して混練して粒状に形成される。そして、複数の溶着性ビーズ玩具を保持トレイに載置した後、霧吹き等により水を溶着性ビーズ玩具に供給して湿潤状態とすることで、溶着性ビーズ玩具は溶融する。その後、所定時間放置して乾燥させると、溶融した樹脂が硬化し、溶着性ビーズ玩具同士が結合する。このようにして、主な使用者である子供は、所望の図柄の溶着性ビーズ玩具の集合体を作成して楽しむことができる。
【０００４】
作成した溶着性ビーズ玩具の集合体は、装飾体として利用することもできる。この場合、特許文献２に開示されるように、被装飾体に粘着シートを取り付けて、この粘着シートに溶着性ビーズ玩具の集合体を取り付けることができる。
【先行技術文献】
【特許文献】
【０００５】
【特許文献１】実用新案登録第３１３１２９２号公報
【特許文献２】特開昭６１−４４６９９号公報
【発明の概要】
【発明が解決しようとする課題】
【０００６】
粘着シートを取り付けた被装飾体に対して、作成した溶着性ビーズ玩具の集合体の取り付け、取り外しを複数回行うと、粘着シートの粘着力が弱まってしまい、数回の使用で遊ぶことが出来なくなってしまうことがある。このため、粘着力を強めることも考えられるが、強い粘着力では小さい子供にとっては取り外しが難しく、楽しく遊ぶことが出来なくなってしまう恐れがある。また、溶着性ビーズ玩具の集合体でパーツを作成し、パーツを組み立てて物体を作成できるが、小さい子供にとっては、大きな物体や複雑な物体を作成するのは難しく、遊び方が限られていた。
【０００７】
本発明の目的は、子供が容易に溶着性ビーズ玩具の集合体を着脱することができる溶着性ビーズ玩具用装飾玩具と、この溶着性ビーズ玩具用装飾玩具を備える溶着性ビーズ玩具セットを提供する。
【課題を解決するための手段】
【０００８】
本発明の一つの態様に係る溶着性ビーズ玩具用装飾玩具は、幅寸法を溶着性ビーズ玩具の最大寸法と合わせて突起状、溝状又は孔状に形成されて、前記溶着性ビーズ玩具の集合体と係合可能に形成されるビーズ係合部を有することを特徴とする。
【０００９】
本発明の一つの態様に係る溶着性ビーズ玩具セットは、複数の前記溶着性ビーズ玩具と、上述の溶着性ビーズ玩具用装飾玩具と、を備えることを特徴とする。
【発明の効果】
【００１０】
上記の態様によれば、子供が容易に溶着性ビーズ玩具の集合体を着脱することができる溶着性ビーズ玩具用装飾玩具と、この溶着性ビーズ玩具用装飾玩具を備える溶着性ビーズ玩具セットを提供することができる。
【図面の簡単な説明】
【００１１】
【図１】本発明の実施形態に係る、動物を模した溶着性ビーズ玩具用装飾玩具を示す図であり、（ａ）は前方側から見た斜視図であり、（ｂ）は後方側から見た斜視図である。
【図２】本発明の実施形態に係る溶着性ビーズ玩具用装飾玩具に装着するための溶着性ビーズ玩具の集合体を作成するための溶着性ビーズ玩具の例を示す図であり、（ａ）は球形の溶着性ビーズ玩具を示し、（ｂ）は多面体形状の溶着性ビーズ玩具を示す。
【図３】本発明の実施形態に係る、動物を模した溶着性ビーズ玩具用装飾玩具に溶着性ビーズ玩具の集合体を装着した例を示す図であり、（ａ）はトラをイメージした例を示す図であり、（ｂ）はライオンをイメージした例を示す図である。
【図４】本発明の実施形態に係る、ティアラを模した溶着性ビーズ玩具用装飾玩具を示す図であり、（ａ）は前方から見た斜視図であり、（ｂ）は後方から見た斜視図である。
【図５】本発明の実施形態に係る、ティアラを模した溶着性ビーズ玩具用装飾玩具に溶着性ビーズ玩具の集合体を装着した例を示す図である。
【図６】本発明の実施形態に係る、フォトフレームである溶着性ビーズ玩具用装飾玩具を示し、（ａ）は斜視図であり、（ｂ）は溶着性ビーズ玩具の集合体を装着した例を示す図である。
【図７】本発明の実施形態に係る、馬車及び馬車を引く馬を模した溶着性ビーズ玩具用装飾玩具を示す斜視図である。
【図８】本発明の実施形態に係る、馬車及び馬車を引く馬を模した溶着性ビーズ玩具用装飾玩具に溶着性ビーズ玩具の集合体を装着した例を示す図である。
【図９】本発明の実施形態に係る、建物を模した溶着性ビーズ玩具用装飾玩具を示す斜視図である。
【図１０】本発明の実施形態に係る、建物を模した溶着性ビーズ玩具用装飾玩具に溶着性ビーズ玩具の集合体を装着した例を示す斜視図である。
【発明を実施するための形態】
【００１２】
次に、図に基づいて本発明の実施形態を説明する。図１（ａ），（ｂ）は動物を模した溶着性ビーズ玩具用装飾玩具１Ａを示す。装飾玩具１Ａは、トラやライオンのような四足歩行の動物を模した形状をしている。装飾玩具１Ａは、胴部２Ａ、頭部３Ａ、４本の脚部４Ａを備える。胴部２Ａは、前後に長く形成される。頭部３Ａは、板状に形成されて、胴部２Ａの二股状の先端部に差し込まれるようにして胴部２Ａに接続される。頭部３Ａと胴部２Ａとの接続は、図示しないが、胴部２Ａに形成される軸部が頭部３Ａの軸受に挿入され、頭部３Ａは胴部２Ａに対して該軸部周りに回動自在に接続される。胴部２Ａと頭部３Ａの軸接続は、所定の摺動抵抗が付与される。従って、頭部３Ａは、任意の回動位置に設定することができる。胴部２Ａの前端側面及び後端側面にそれぞれ接続される脚部４Ａも同様に胴部２Ａと回動自在に軸接続され、任意の回動位置に設定することができる。
【００１３】
胴部２Ａ、頭部３Ａ、脚部４Ａの両側面には、突起状の複数のビーズ係合部１０が設けられる。なお、図１（ａ），（ｂ）では一方の側面のみ示すが、他方の側面にも同位置に複数のビーズ係合部１０が形成される。
【００１４】
円柱形とされるビーズ係合部１０の直径としての幅寸法Ｗ１は、図２（ａ），（ｂ）に示す溶着性ビーズ玩具１００の最大寸法Ｄと合わせて形成される。換言すれば、幅寸法Ｗ１と最大寸法Ｄと、は略同一に形成される。ここで、溶着性ビーズ玩具１００は、水溶性材料の樹脂により形成されている。具体的には、ポリビニルアルコールを樹脂に配合して混錬して形成されている。また、溶着性ビーズ玩具１００を形成する樹脂は、透明材料や透光性を有する材料又は不透明材料を適宜選択して形成することができる。そして、溶着性ビーズ玩具１００の最大寸法とは、図２（ａ）に例示する球形の溶着性ビーズ玩具１１０では最大寸法Ｄは直径であり、図２（ｂ）に例示する多面体形状の溶着性ビーズ玩具１２０では最大寸法Ｄとは頂部間距離の最大値である。更に、ビーズ係合部１０の高さ寸法Ｔ１は、溶着性ビーズ玩具１００の最大寸法Ｄと合わせて形成される。換言すれば、高さ寸法Ｔ１と最大寸法Ｄと、は略同一に形成される。
【００１５】
なお、図２（ａ）に示す球形の溶着性ビーズ玩具１１０における最大寸法Ｄと図２（ｂ）に示す多面体形状の溶着性ビーズ玩具１２０における最大寸法Ｄは、それぞれ異なって設定されることもある。具体的には、例えば、球形の溶着性ビーズ玩具１１０における最大寸法Ｄは、５ｍｍであり、多面体形状の溶着性ビーズ玩具１２０における最大寸法Ｄが６ｍｍであることもあり、このときの幅寸法Ｗ１や高さ寸法Ｔ１は５ｍｍ〜６ｍｍの範囲で設定されていればよい。すなわち、幅寸法Ｗ１や高さ寸法Ｔ１（後述の幅寸法Ｗ２〜Ｗ９も同様）は、溶着性ビーズ玩具１００（１１０，１２０）の最大寸法Ｄと大凡で合致していればよい。
【００１６】
また、図１（ａ），（ｂ）に示すように、頭部３Ａの頭頂部には、頭部３Ａの側面についての法線と平行な溝状のビーズ係合部２０が形成される。ビーズ係合部２０の溝幅寸法である幅寸法Ｗ２は、溶着性ビーズ玩具１００の最大寸法Ｄと合わせて形成される。換言すれば、幅寸法Ｗ２と最大寸法Ｄと、は略同一に形成される。さらにまた、図１（ｂ）に示すように、胴部２Ａの後端には、長矩形の孔状に形成されるビーズ係合部３０が形成される。長矩形の孔状であるビーズ係合部３０における短手方向の寸法とされる幅寸法Ｗ３は、溶着性ビーズ玩具１００の最大寸法Ｄと合わせて形成される。換言すれば、幅寸法Ｗ３と最大寸法Ｄと、は略同一に形成される。
【００１７】
突起状、溝状又は孔状に形成されるビーズ係合部１０，２０，３０は、別途作成される溶着性ビーズ玩具１００の集合体が係合される。溶着性ビーズ玩具１００の集合体は、図２（ａ）に例示する球形の溶着性ビーズ玩具１１０や図２（ｂ）に例示する多面体とされる溶着性ビーズ玩具１２０を複数用いて形成する。溶着性ビーズ玩具１００の集合体の作成の概略を説明すると、先ず、溶着性ビーズ玩具１００に適合した複数の凹部を備えるトレイに複数の溶着性ビーズ玩具１００を任意の形状となるように配置する。そして、トレイ上の複数の溶着性ビーズ玩具１００に水を噴霧した後、乾燥・硬化させる。すると、溶着性ビーズ玩具１００の集合体を作成することができる。
【００１８】
このとき、平面状に形成される溶着性ビーズ玩具１００の集合体に、溶着性ビーズ玩具１００が一つ分欠けるようにして間欠部１１（図３（ａ），（ｂ）参照）を形成しておけば、該間欠部１１に突起状のビーズ係合部１０を差し込んで係合させることができる。例えば、図３（ａ）のトラをイメージした例に示すように、胴部２Ａ、頭部３Ａ、脚部４Ａそれぞれに合わせて形成した溶着性ビーズ玩具１００の集合体の間欠部１１に胴部２Ａ、頭部３Ａ、脚部４Ａそれぞれのビーズ係合部１０を挿入して係合させることで、胴部２Ａ，頭部３Ａ、脚部４Ａそれぞれに合わせて形成した溶着性ビーズ玩具１００の集合体を装飾玩具１Ａに装着することができる。
【００１９】
また、溶着性ビーズ玩具１００を平面的に配置して動物の尻尾状に形成した溶着性ビーズ玩具１００の集合体６０Ａ１，６０Ａ２は、孔状のビーズ係合部３０に溶着性ビーズ玩具１００の集合体６０Ａ１，６０Ａ２の一部を挿入するようにして係合させることができる。また、同様に溶着性ビーズ玩具１００を平面的に配置してライオンの鬣を模した図３（ｂ）のライオンをイメージした例に示す溶着性ビーズ玩具１００の集合体６０Ａ３は、溝状のビーズ係合部２０に溶着性ビーズ玩具１００の集合体６０Ａ３の一部を挿入して係合させることができる。
【００２０】
次に、図４（ａ），（ｂ）に、飾り物であるティアラを模した溶着性ビーズ玩具用装飾玩具１Ｂを示す。装飾玩具１Ｂは、前面に配置される装飾部２Ｂであるビーズ係合部２１と、装飾部２Ｂを左右で支持して頭頂部に取付けられるよう円弧状に形成される支持部３Ｂであるビーズ係合部２２と、を備える。
【００２１】
ビーズ係合部２１（装飾部２Ｂ）は、装飾形状を呈して所定の間隔を空けて対向して配置される２枚の板状体２１ａ，２１ｂを備える。２枚の板状体２１ａ，２１ｂ間における下方には底板２１ｃが形成される。２枚の板状体２１ａ，２１ｂと底板２１ｃにより、ビーズ係合部２１は溝状に形成される。ビーズ係合部２１の溝幅である幅寸法Ｗ４は、図２（ａ），（ｂ）に示す溶着性ビーズ玩具１００の最大寸法Ｄと合わせて最大寸法Ｄと略同一に形成される。２枚の板状体２１ａ，２１ｂは、それぞれ高さ寸法が異なるように形成される。
【００２２】
ビーズ係合部２１の板状体２１ａ，２１ｂ間には、前側の板状体２１ｂの後面から突出するボスが、後側の板状体２１ａの前面に該ボスに対応して設けられる孔部に挿入されるようにして補強支持部２１ｄが形成される。これにより、高さの高い板状体２１ａ，２１ｂの支持が補強される。また、板状体２１ｂの前面には、前述と同様の複数の円柱突起状のビーズ係合部１０が形成される。
【００２３】
ビーズ係合部２２（支持部３Ｂ）は、内外の板状体２２ａ，２２ｂと、板状体２２ａ，２２ｂとの間の下端に形成される底板２２ｃにより溝状に形成される。外側の板状体２２ｂの前方には、高さの低い山形の装飾が形成されて、当該箇所では内外の板状体２２ａ，２２ｂの高さが異なる。内外の板状体２２ａ，２２ｂは、それぞれビーズ係合部２１の板状体２１ａ，２１ｂと連接される。従って、ビーズ係合部２２の溝幅（幅寸法）は、前述のビーズ係合部２１における溝幅である幅寸法Ｗ４と同じとされる。なお、図示しないが、ビーズ係合部２１の底板２１ｃの下方は空間が形成されて、板状体２１ａ，２１ｂと底板２１ｃの下面とで溝状に形成される。
【００２４】
装飾玩具１Ｂへの溶着性ビーズ玩具１００の集合体の装着の例を図５に示す。前述と同様に、１つ分の溶着性ビーズ玩具１００の間欠部１１を備えて平面状に形成した溶着性ビーズ玩具１００の集合体６０Ｂ１，６０Ｂ２，６０Ｂ３は、突起状のビーズ係合部１０に該間欠部を差し込んで係合させることにより装飾玩具１Ｂに装着することができる。また、平面状に形成した溶着性ビーズ玩具１００の集合体６０Ｂ４，６０Ｂ５，６０Ｂ６は、溝状のビーズ係合部２１，２２に挿入される。このとき、板状体２１ａ，２１ｂ及び板状体２２ａ，２２ｂの高さが異なるように形成されるので、溶着性ビーズ玩具１００の集合体６０Ｂ４，６０Ｂ５，６０Ｂ６を倒れないように支持しつつ見栄え良く溶着性ビーズ玩具１００の集合体６０Ｂ４，６０Ｂ５，６０Ｂ６を配置することができる。
【００２５】
次に、図６（ａ）に、フォトフレームとされる置物である、溶着性ビーズ玩具用装飾玩具１Ｃを示す。長矩形枠状の本体部２Ｃは、中央に写真係止部３Ｃとして透明板が配置される。本体部２Ｃの下側後面からは、机等に立てて載置できるように脚部４Ｃが延設される。本体部２Ｃの表面には、複数の円柱突起状のビーズ係合部１０が設けられる。本体部２Ｃの四隅の表面には星やハート形状の装飾部２Ｃ１が形成される。装飾部２Ｃ１では、装飾部２Ｃ１の略中央にビーズ係合部１０が形成される。前述と同様に、１つ分の溶着性ビーズ玩具１００の間欠部１１を備えて平面状に形成した溶着性ビーズ玩具１００の集合体を別途作成して、図６（ｂ）に示すようにビーズ係合部１０に間欠部１１を差し込んで溶着性ビーズ玩具１００の集合体を本体部２Ｃの表面に装着することができる。
【００２６】
次に、図７に、馬車とされる乗り物と馬車を引く馬を模した溶着性ビーズ玩具用装飾玩具１Ｄを示す。装飾玩具１Ｄは、馬車を引く馬を模した馬部２Ｄと、馬車部３Ｄを備える。馬部２Ｄには、胴体部２Ｄ１に前述と同様の複数のビーズ係合部１０が形成される。胴体部２Ｄ１の複数のビーズ係合部１０は、両面対称に配置される。また、馬部２Ｄの頭部２Ｄ２の頭長部にも円柱突起状のビーズ係合部１０が形成される。
【００２７】
一方、装飾玩具１Ｄの馬車部３Ｄは、かご部３Ｄ１と、架台部３Ｄ２と、４つの車輪部３Ｄ３と、を備える。かご部３Ｄ１、架台部３Ｄ２及び車輪部３Ｄ３は、それぞれ円柱突起状の複数のビーズ係合部１０を備える。かご部３Ｄ１の上面には、溝状のビーズ係合部２３が形成される。ビーズ係合部２３は、中央２箇所に配置される板状体２３ａと、板状体２３ａに対して両側面側に所定の間隔でそれぞれ対称に配置される３つの板状体２３ｂと、板状体２３ｂに対してさらに両側面側に所定の間隔でそれぞれ対称に配置される３つの板状体２３ｃと、が形成される。板状体２３ａと板状体２３ｂは、かご部３Ｄ１の上面において一段高い段上に形成され、板状体２３ｃはその下の段に形成される。そして、板状体２３ｂは、板状体２３ｃが形成される面からの高さが、板状体２３ｃの高さよりも高く形成される。また、板状体２３ａと板状体２３ｂとで形成される間隔（溝幅である幅寸法Ｗ５）及び板状体２３ｂと板状体２３ｃとで形成される間隔（溝幅である幅寸法Ｗ６）は、前述と同様に、図２（ａ），（ｂ）に示す溶着性ビーズ玩具１００の最大寸法Ｄと合わせて最大寸法Ｄと略同一に形成される。
【００２８】
装飾玩具１Ｄへの溶着性ビーズ玩具１００の集合体の装着の例を図８に示す。前述と同様に、１つ分の溶着性ビーズ玩具１００の間欠部１１を備えて平面状に形成した溶着性ビーズ玩具１００の集合体は、突起状のビーズ係合部１０と係合して装飾玩具１Ｄに装着することができる。また、平面状に形成した溶着性ビーズ玩具１００の集合体は、溝状のビーズ係合部２３に挿入して装飾玩具１Ｄに装着することができる。
【００２９】
次に、図９に、建物とされるお城を模した溶着性ビーズ玩具用装飾玩具１Ｅを示す。装飾玩具１Ｅの前面や側面、及び、各屋根の頂上部には、複数の円柱突起状のビーズ係合部１０が形成される。また、装飾玩具１Ｅには、板状体を備えて溝状に形成される複数の溝状のビーズ係合部２４が形成される。例えば、装飾玩具１Ｅの上部に形成されるビーズ係合部２４ａは、前側の板状体２４ａ１と、後側の板状体２４ａ２と、を備える。板状体２４ａ１と板状体２４ａ２は、オフセットして配置される。ビーズ係合部２４ａは、板状体２４ａ１と板状体２４ａ２、及び、板状体２４ａ１と板状体２４ａ２が設けられる面（底面）とにより、溝状に形成される。板状体２４ａ１と板状体２４ａ２間の間隔（溝幅）は幅寸法Ｗ７とされて、前述と同様に、図２（ａ），（ｂ）に示す溶着性ビーズ玩具１００の最大寸法Ｄと合わせて最大寸法Ｄと略同一に形成される。
【００３０】
一方、装飾玩具１Ｅに向かって右側上部に設けられるビーズ係合部２４ｂは、前側の３つの板状体２４ｂ１と、装飾玩具１Ｅにおける建物の独立部分２Ｅの壁面である前面２４ｂ２と、板状体２４ｂ１が設けられる面を底面として溝状に形成される。溝幅である幅寸法Ｗ８は、同様に図２（ａ），（ｂ）に示す溶着性ビーズ玩具１００の最大寸法Ｄと合わせて最大寸法Ｄと略同一に形成される。また、ビーズ係合部２４ｂの後側にはビーズ係合部２４ｃが形成される。ビーズ係合部２４ｃは、独立部分２Ｅの窓部に臨む板状体２４ｃ１が後側として、独立部分２Ｅの後面２４ｃ２を前側とし、板状体２４ｃ１が設けられる窓部の下縁面を底面として溝状に形成される。溝幅である幅寸法Ｗ９も同様に図２（ａ），（ｂ）に示す溶着性ビーズ玩具１００の最大寸法Ｄと合わせて最大寸法Ｄと略同一に形成される。さらに装飾玩具１Ｅの側面にも、溝状のビーズ係合部２４ｄが形成される。
【００３１】
装飾玩具１Ｅへの溶着性ビーズ玩具１００の集合体の装着の例を図１０に示す。前述と同様に、１つ分の溶着性ビーズ玩具１００の間欠部１１を備えて平面状に形成した溶着性ビーズ玩具１００の集合体は、突起状のビーズ係合部１０と係合して装飾玩具１Ｅに装着することができる。また、平面状に形成した溶着性ビーズ玩具１００の集合体は、溝状のビーズ係合部２４に挿入して装飾玩具１Ｅに装着することができる。
【００３２】
以上のような本発明の実施形態によれば、下記の態様の溶着性ビーズ玩具用装飾玩具及び溶着性ビーズ玩具セットを提供することができる。
【００３３】
第１の態様に係る溶着性ビーズ玩具用装飾玩具は、幅寸法を溶着性ビーズ玩具の最大寸法と合わせて突起状、溝状又は孔状に形成されて、前記溶着性ビーズ玩具の集合体と係合可能に形成されるビーズ係合部を有する。
【００３４】
この構成によれば、溶着性ビーズ玩具用装飾玩具における突起状のビーズ係合部にあっては、間欠部を備える溶着性ビーズ玩具の集合体における該間欠部を容易に差し込むことができる。また、溶着性ビーズ玩具用装飾玩具における溝状や孔状のビーズ係合部にあっては、平面状に形成した溶着性ビーズ玩具の集合体を容易に挿入することができる。従って、小さな子供でも、溶着性ビーズ玩具の集合体を容易に繰り返し着脱することができる溶着性ビーズ玩具用装飾玩具を提供することができる。
【００３５】
第２の態様に係る溶着性ビーズ玩具用装飾玩具は、前記ビーズ係合部は、高さ寸法を前記溶着性ビーズ玩具の最大寸法と合わせた円柱の前記突起状に形成される。
【００３６】
この構成によれば、間欠部を備える溶着性ビーズ玩具用装飾玩具の該間欠部に突起状のビーズ係合部が差し込まれても、正面視円形となる円柱突起状のビーズ係合部と球状や多面体形状の溶着性ビーズ玩具は略同一の大きさであるので、溶着性ビーズ玩具を装飾玩具に装着した後の突起状のビーズ係合部を目立たなくすることができる。
【００３７】
第３の態様に係る溶着性ビーズ玩具用装飾玩具は、前記ビーズ係合部は、対向して配置される２枚の板状体により前記溝状に形成されて、２枚の前記板状体は、それぞれ高さ寸法が異なるように形成される。
【００３８】
この構成によれば、２枚の板状体のうち、例えば前面側の板状体の高さを低くして後面側の板状体の高さを高くすることができるので、溶着性ビーズ玩具の集合体を板状体で隠してしまう領域を低減して溶着性ビーズ玩具の集合体が装着された装飾玩具の見栄えを良くすることができると共に、確実に溶着性ビーズ玩具の集合体を支持することができる。
【００３９】
第４の態様に係る溶着性ビーズ玩具用装飾玩具は、前記ビーズ係合部は、長矩形の前記孔状に形成される。
【００４０】
この構成によれば、孔状のビーズ係合部に挿入される溶着性ビーズ玩具と該ビーズ係合部との隙間を低減して溶着性ビーズ玩具の集合体が装着された装飾玩具の見栄えを良くすることができる。
【００４１】
第５の態様に係る溶着性ビーズ玩具セットは、複数の前記溶着性ビーズ玩具と、第１の態様乃至第４の態様の何れか記載の溶着性ビーズ玩具用装飾玩具と、を備える。
【００４２】
この構成によれば、作成した溶着性ビーズ玩具の集合体を取り付けて遊ぶことができる溶着性ビーズ玩具用装飾玩具を備える溶着性ビーズ玩具セットを提供することができる。
【００４３】
以上、本発明の実施形態について説明したが、本発明は上記実施形態に限定されるものではなく、その要旨を逸脱しない限りにおいて、種々の変更が可能である。例えば、溶着性ビーズ玩具の集合体は、平面状に形成した溶着性ビーズ玩具の集合体を積層させて立体的に形成して、この立体的に形成した溶着性ビーズ玩具の集合体をビーズ係合部に装着することもできる。
【符号の説明】
【００４４】
１Ａ〜１Ｅ      溶着性ビーズ玩具用装飾玩具
２Ａ      胴部                  ２Ｂ      装飾部
２Ｃ      本体部                ２Ｃ１    装飾部
２Ｄ      馬部                  ２Ｄ１    胴体部
２Ｄ２    頭部                  ２Ｅ      独立部分
３Ａ      頭部                  ３Ｂ      支持部
３Ｃ      写真係止部            ３Ｄ      馬車部
３Ｄ１    かご部                ３Ｄ２    架台部
３Ｄ３    車輪部                ４Ａ      脚部
４Ｃ      脚部                  １０      ビーズ係合部
１１      間欠部                ２０      ビーズ係合部
２１      ビーズ係合部          ２１ａ    板状体
２１ｂ    板状体                ２１ｃ    底板
２１ｄ    補強支持部            ２２      ビーズ係合部
２２ａ    板状体                ２２ｂ    板状体
２２ｃ    底板                  ２３      ビーズ係合部
２３ａ    板状体                ２３ｂ    板状体
２３ｃ    板状体                ２４      ビーズ係合部
２４ａ    ビーズ係合部          ２４ａ１  板状体
２４ａ２  板状体                ２４ｂ    ビーズ係合部
２４ｂ１  板状体                ２４ｂ２  前面
２４ｃ    ビーズ係合部          ２４ｃ１  板状体
２４ｃ２  後面                  ２４ｄ    ビーズ係合部
３０      ビーズ係合部
６０Ａ１〜６    溶着性ビーズ玩具の集合体
１００    溶着性ビーズ玩具      １１０    溶着性ビーズ玩具
１２０    溶着性ビーズ玩具
Ｄ        最大寸法              Ｔ１      高さ寸法
Ｗ１〜Ｗ９      幅寸法
【図１】
2019187775.tif 000003
【図２】
2019187775.tif 000004
【図３】
2019187775.tif 000005
【図４】
2019187775.tif 000006
【図５】
2019187775.tif 000007
【図６】
2019187775.tif 000008
【図７】
2019187775.tif 000009
【図８】
2019187775.tif 000010
【図９】
2019187775.tif 000011
【図１０】
2019187775.tif 000012